(57)【特許請求の範囲】
【請求項１】
被写体が携行するためのＩＤカードと、電子カメラと、前記電子カメラにより撮像された画像を管理するためのサーバとを含む撮像システムにおいて、
前記ＩＤカードは、
前記被写体に固有の被写体識別情報を記録する被写体識別情報記録手段と、
前記被写体の撮像に利用する電子カメラを特定するためのカメラリストを記録するカメラリスト記録手段と、
前記電子カメラと通信するためのカード側通信手段とを備え、
前記電子カメラは、
前記電子カメラに固有の電子カメラ識別情報を記録する電子カメラ識別情報記録手段と、
前記被写体の画像を撮像する撮像手段と、
前記カード側通信手段との間で通信を行って、前記ＩＤカードから前記被写体識別情報及び前記カメラリストを取得するカード情報取得手段と、
前記撮像手段により撮像された画像と前記被写体識別情報とを関連付けて記録する画像記録手段と、
前記カメラリストが前記電子カメラ自身の電子カメラ識別情報を含んでいると判断された場合に、前記撮像手段に前記被写体の撮影を許可する一方、前記カメラリストが前記電子カメラ自身の電子カメラ識別情報を含んでいないと判断された場合に、前記撮像手段に前記被写体の撮影を許可しないカメラ側情報処理手段と、
前記画像と前記被写体識別情報とを関連付けて前記サーバ又は前記ＩＤカードに出力する出力手段と、
を備えることを特徴とする撮像システム。
【請求項２】
前記サーバは、
前記カメラリストを記録する記録手段と、
前記カード側通信手段との間で通信を行うためのサーバ側通信手段と、
前記サーバ側通信手段を介して前記ＩＤカードから被写体識別情報を受信し、前記被写体識別情報に対応するカメラリストを前記記録手段から取得して、前記ＩＤカードに送信するサーバ側情報処理手段とを備え、
前記カメラリスト記録手段は、前記サーバから受信したカメラリストを記録することを特徴とする請求項１記載の撮像システム。
【請求項３】
前記電子カメラは、前記カメラリストが前記電子カメラ自身の電子カメラ識別情報を含んでいないと判断された場合に、前記カメラリストが前記電子カメラに固有の電子カメラ識別情報を含んでいない旨の通知を表示する表示手段を更に備えることを特徴とする請求項１又は２記載の撮像システム。
【請求項４】
被写体が携行するためのＩＤカードと、電子カメラと、前記電子カメラにより撮像された画像を管理するためのサーバとを含む撮像システムにおいて、
前記ＩＤカードは、
前記被写体に固有の被写体識別情報を記録する被写体識別情報記録手段と、
前記電子カメラと通信するためのカード側通信手段とを備え、
前記電子カメラは、
前記被写体の画像を撮像する撮像手段と、
前記カード側通信手段との間で通信を行って、前記ＩＤカードから前記被写体識別情報を取得するカード情報取得手段と、
前記サーバから撮像する被写体を識別する被写体識別情報を取得するサーバ情報取得手段と、
前記撮像手段により撮像された画像と前記被写体識別情報とを関連付けて記録する画像記録手段と、
前記カード情報取得手段によりＩＤカードから取得した第１の被写体識別情報と、前記サーバ情報取得手段によりサーバから取得した第２の被写体識別情報とを照合する第１の被写体識別情報照合手段と、
前記第１、第２の被写体識別情報が一致している場合にのみ、前記画像を記録するカメラ側情報処理手段と、
前記画像と前記被写体識別情報とを関連付けて前記サーバ又は前記ＩＤカードに出力する出力手段と、
を備えることを特徴とする撮像システム。
【請求項５】
前記電子カメラは、前記第１、第２の被写体識別情報が一致していない場合に、前記被写体識別情報が不一致である旨の通知を表示する第１の被写体不一致情報表示手段を更に備えることを特徴とする請求項４記載の撮像システム。
【請求項６】
前記出力手段は、無線又は有線の通信により前記画像と前記被写体識別情報とを関連付けて前記サーバに出力することを特徴とする請求項１から５のいずれか１項記載の撮像システム。
【請求項７】
前記画像記録手段は、前記電子カメラから着脱可能な記録媒体に前記画像を記録し、前記記録媒体を介して前記サーバに前記画像を出力可能にすることを特徴とする請求項１から６のいずれか１項記載の撮像システム。
【請求項８】
前記画像記録手段は、前記撮像手段により撮像された画像と前記被写体識別情報とを記載した画像ファイルを作成することを特徴とする請求項１から７のいずれか１項記載の撮像システム。
【請求項９】
前記画像記録手段は、前記被写体識別情報をヘッダ部分に記載した画像ファイルを作成するか、前記被写体識別情報を画像データ部分に埋め込んだ画像ファイルを作成するか、又は前記被写体識別情報をフォルダ名又はファイル名に含む画像ファイルを作成することを特徴とする請求項１から７のいずれか１項記載の撮像システム。
【請求項１０】
前記カード情報取得手段は、前記カード側通信手段との間で無線通信又は有線通信を行って、情報の送受信を実施することを特徴とする請求項１から９のいずれか１項記載の撮像システム。
【請求項１１】
前記カード情報取得手段は、前記カード側通信手段との間で無線通信を行い、前記カード側通信手段から無線通信用の搬送波を受信した際に、前記搬送波の強度が一番強いＩＤカードを選択して情報の送受信を実施することを特徴とする請求項１から１０のいずれか１項記載の撮像システム。
【請求項１２】
前記電子カメラは、前記カード情報取得手段により前記カード側通信手段との間で無線通信を行う場合に、前記無線通信用の搬送波を受信する受信方向を設定する受信方向設定手段を更に備え、前記受信方向設定手段により設定された受信方向に存在するＩＤカードを選択して情報の送受信を実施することを特徴とする請求項１から１１のいずれか１項記載の撮像システム。
【請求項１３】
前記電子カメラは、前記カード情報取得手段により複数の被写体識別情報を取得した場合に、被写体識別情報を１つに特定できない旨の通知を表示する特定不可情報表示手段を更に備えることを特徴とする請求項１から１２のいずれか１項記載の撮像システム。
【請求項１４】
前記電子カメラは、前記カード情報取得手段により前記被写体識別情報を取得できない場合に、前記被写体識別情報を取得できない旨の通知を表示する取得不可情報表示手段を更に備えることを特徴とする請求項１から１３のいずれか１項記載の撮像システム。
【請求項１５】
前記電子カメラは、前記カード情報取得手段により複数の被写体識別情報を取得した場合に、該複数の被写体識別情報の中から１つを利用者が選択する情報を入力するための入力手段を更に備えることを特徴とする請求項１から１４のいずれか１項記載の撮像システム。
【請求項１６】
前記画像記録手段は、前記カード情報取得手段により複数の被写体識別情報を取得した後に、前記利用者が前記入力手段により１つの前記被写体識別情報を選択した場合にのみ、前記画像を記録することを特徴とする請求項１５記載の撮像システム。
【請求項１７】
前記電子カメラは、前記カード情報取得手段により、前記被写体の撮像の前及び撮像の後に前記被写体識別情報を取得して、前記撮像の前に取得した被写体識別情報と、前記撮像の後に取得した被写体識別情報とを照合する第２の被写体識別情報照合手段を更に備え、
前記画像記録手段は、前記撮像の前及び後に取得した被写体識別情報が一致していない場合に、前記画像を記録しないことを特徴とする請求項１から１６のいずれか１項記載の撮像システム。
【請求項１８】
前記電子カメラは、前記撮像の前及び後に取得した被写体識別情報が一致していない場合に、前記被写体識別情報が不一致である旨の通知を表示する第２の被写体不一致情報表示手段を更に備えることを特徴とする請求項１７記載の撮像システム。
【発明の詳細な説明】
【０００１】
【発明の属する技術分野】
本発明は撮像システムに係り、特に取得した画像と、該画像に含まれる被写体に関する識別情報とを関連付けて記載した画像ファイルを自動で作成して出力する撮像システムに関する。
【０００２】
【従来の技術】
記録画像データの整理、編集等の管理を可能とするために、カメラ撮影画像情報に対応して第１の副情報を設定するとともに、上記撮影画像情報に撮影順番に関する第２の副情報を対応付けて設定して情報記録媒体の属性情報記録部に格納するように構成したカメラが、特開平５−２５２４７４号の公報に示されている。
【０００３】
また、撮影画像の検索を容易に実施するために、撮影状態と日時を液晶表示装置に表示し、装着したメモリーカードＭＣに撮影情報を記憶する電子カメラ構成において、撮影情報を選別し関連情報を付加する管理手段を備え、関連情報をも前記液晶表示装置に表示することを可能とした情報機器が特開平７−２９６００１号の公報に示されている。
【０００４】
また、装置を大型化することなく操作性を損なわず素早い電子画像の検索を可能とするために、電子カメラの背面であってＬＣＤモニタの近傍に、電子画像に予め付されたコマ番号を特定して電子画像を選択する第１の操作スイッチと、電子画像の集合的な管理用に予め付された属性情報を特定して電子画像を選択する第２のスイッチとを、放射状となるように配置した画像処理装置が特開平１１−３０６３１９号の公報に示されている。
【０００５】
【発明が解決しようとする課題】
しかしながら、特開平５−２５２４７４号の公報に示されているカメラでは、画像データ整理のために副情報を画像とともに自動で記録するものであり、利用する副情報として時刻を用いた実施例で説明されている。ところが、画像とともに記録する日時の情報を用いることによって記録した画像を識別することは可能であるものの、日時の情報は画像や被写体の内容を表す情報ではない。したがって、被写体に応じて画像の管理や整理を実施する場合には、これとは別に撮影時刻と被写体の内容とを関連付けた情報を作成して管理する必要があった。
【０００６】
また同様に、特開平７−２９６００１号の公報に示されている情報機器及び、特開平１１−３０６３１９号の公報に示されている画像処理装置も画像データを管理する際に日付の情報を用いて管理しているため、画像の管理を行う際には上記の特開平５−２５２４７４号の公報に示されているカメラと同様の不具合を生じていた。
【０００７】
また、画像に関する情報を撮影時に利用者が直接電子カメラから入力して、撮像した画像と関連付けて記録して画像を管理する方法を用いる場合には、電子カメラと利用者との情報入力に関するインターフェース（入力手段）が必要となるとともに、利用者による情報の入力に間違いを生ずる可能性が高いという不具合を生じていた。更に、医療の現場での撮像画像の取り違えは、患者に対する診療に致命的な結果を招く恐れが高いという課題があった。
【０００８】
本発明はこのような事情に鑑みてなされたもので、他の電子機器から固有の識別情報を取得し、該取得した固有の識別情報と画像とを記載した画像ファイルを自動で作成して出力することによって、出力された画像の管理を容易にすることが可能な撮像システムを提供することを目的としている。更に、本発明は、医療の現場での撮像画像の取り違えを防止することが可能な撮像システムを提供することを目的としている。
【０００９】
【課題を解決するための手段】
前記目的を達成するために、本発明は、被写体が携行するためのＩＤカードと、電子カメラと、前記電子カメラにより撮像された画像を管理するためのサーバとを含む撮像システムにおいて、前記ＩＤカードは、前記被写体に固有の被写体識別情報を記録する被写体識別情報記録手段と、前記被写体の撮像に利用する電子カメラを特定するためのカメラリストを記録するカメラリスト記録手段と、前記電子カメラと通信するためのカード側通信手段とを備え、前記電子カメラは、前記電子カメラに固有の電子カメラ識別情報を記録する電子カメラ識別情報記録手段と、前記被写体の画像を撮像する撮像手段と、前記カード側通信手段との間で通信を行って、前記ＩＤカードから前記被写体識別情報及び前記カメラリストを取得するカード情報取得手段と、前記撮像手段により撮像された画像と前記被写体識別情報とを関連付けて記録する画像記録手段と、前記カメラリストが前記電子カメラ自身の電子カメラ識別情報を含んでいると判断された場合に、前記撮像手段に前記被写体の撮影を許可する一方、前記カメラリストが前記電子カメラ自身の電子カメラ識別情報を含んでいないと判断された場合に、前記撮像手段に前記被写体の撮影を許可しないカメラ側情報処理手段と、前記画像と前記被写体識別情報とを関連付けて前記サーバ又は前記ＩＤカードに出力する出力手段とを備えることを特徴とする。
【００１０】
本発明によれば、後工程にて前記出力された画像ファイルの管理を容易にすることが可能となる。
【００１１】
【発明の実施の形態】
以下添付図面に従って、本発明に係る撮像システムの好ましい実施の形態について詳説する。
【００１２】
図１は、診察室等の医療現場における撮像システムの構成を示す図である。
【００１３】
同図に示すように医療現場での撮像システムには、患者８と、被写体像となる患者８の患部９と、被写体を撮像して取得した画像を記録する電子機器の一形態である電子カメラ１０と、患者の氏名、年齢、疾病情報、診察情報、撮像情報、患者ＩＤ等の患者固有の識別情報等が記録されているとともに該識別情報を電子カメラ１０等の他の電子機器に出力することが可能な電子機器の一形態であるＩＤカード６０（電子式の診察券等）とが含まれている。
【００１４】
また、電子カメラ１０等によって撮像した画像や、患者８の識別情報等の情報を無線又は有線の通信手段によって送受信可能なネットワークのゲートウェイ１２が設けられている。また必要に応じて、電子カメラ１０で撮像した画像を受信して患者８の識別情報等と関連付けて管理したり、診察に訪れた患者８の受付処理等の処理を実施することが可能なパソコン８０を設けてもよい。
【００１５】
また、電子カメラ１０とパソコン８０とゲートウェイ１２とＩＤカード６０とは、アンテナ１５６やアンテナ８５６等の無線通信手段、又は図示していない有線の通信手段を介して画像、識別情報、診察情報等の各種の情報をお互いに送受信することが可能となっている。
【００１６】
患者８固有のＩＤカード６０に記録されている患者固有の識別情報は、一般に書き換える必要がないので書き換え不可能な情報として記録しておいてもよい。また、各種情報を記録するＩＤカード６０の記録方式は、半導体を用いた記録方式、磁気を用いた記録方式、光を用いた記録方式等、いずれの記録方式を用いたものであっても本発明の目的を達成することが可能である。
【００１７】
なお、患者８の患部９を撮像する撮像手段は、通常の可視光により撮像する電子カメラ、レントゲンカメラ、内視鏡撮像装置、ＭＲＩ等の撮像装置による撮像手段が該当する。
【００１８】
医師等の者が患部９を撮像する場合には、電子カメラ１０又はパソコン８０等の電子機器がＩＤカード６０等の電子機器から患者８固有の識別情報を取得して、撮像した画像とともに関連付けて画像ファイルに記載する。該作成した画像ファイルは、電子カメラ１０に装着されている記録媒体１７７に記録してもよいし、パソコン８０に装着されている記録媒体８７７に記録してもよいし、ＩＤカード６０に記録してもよいし、ゲートウェイ１２及びネットワークを介して病院内のサーバシステムに送信して記録してもよい。
【００１９】
図２に、病院等の医療現場における撮像システムの構成を示す。
【００２０】
同図に示すように病院等の医療現場には、患者が最初に訪れる受付と、患者が診察を受ける外科、内科及び脳外科等の各診察室と、患者が服用する薬を購入する薬局とが設けられている。また、医療現場には、患者の氏名、患者の氏名、年齢、疾病情報、診察情報、診察結果情報、カルテ情報、診察画像、処方箋情報、撮像情報、患者ＩＤ等の患者に関する各種の情報をお互いに関連付けて記録し管理することが可能なサーバ９０が設けられている。
【００２１】
なおサーバ９０は、必要に応じて各機能ごとに設けられた複数台のサーバから成るサーバシステムとして構成されていてもよいし、１台のサーバから構成される装置であってもよい。サーバ９０は病院内のＬＡＮ等の通信ネットワーク１４を管理しており、該ネットワーク１４に接続されている電子カメラ１０…、パソコン８０…等の各端末機器と画像や文字等の各種情報の送受信を実施することが可能となっている。
【００２２】
なお、脳外科の診察室のように、電子カメラ１０Ｅの被写体撮影位置と電子カメラ１０Ｄとが近い場合には、無線通信用の電波を減衰させるシールド壁１６が設けられている。そのため、電子カメラ１０Ｅの被写体撮影位置に存在するＩＤカードと電子カメラ１０Ｄとは無線通信を開始しないように設定されている。
【００２３】
また、外科の診察室に設置されている電子カメラ１０には「２００−００１」、内科の診察室に設置されている電子カメラ１０Ａには「１００−００１」といったように、各診察室に設けられている各電子カメラの不揮発性メモリ１８２又はＲＯＭ１８３等の記録手段には、電子カメラ固有の識別情報であるＩＤが記録されている。
【００２４】
受付には、情報の入出力を行うことが可能であるとともにネットワーク１４に接続されているパソコン８０Ｂが設置されている。パソコン８０Ｂは、受付の担当者が受付情報等を入力することが可能な入力手段と、入力した情報やネットワーク１４を介して取得した情報等を表示する表示手段と、患者固有のＩＤカード６０と無線又は有線による手段を用いて情報の送受信を実施することが可能な通信手段とが設けられている。
【００２５】
また、患者固有のＩＤカード６０と情報の送受信を実施する際に、パソコン８０ＢのＰＣカードスロットに記録媒体８７７Ｂの代わりにＩＤカード６０を装着して、パソコン８０ＢのＰＣカードインターフェース等の送受信手段を用いてＩＤカード６０と情報の送受信を実施するようにしてもよい。
【００２６】
各診察室には、情報の入出力を行うことが可能であるとともにネットワーク１４に接続されているパソコン８０、８０Ａ、…と、患者の患部等の被写体を撮像して該取得した画像を出力する電子カメラ１０、１０Ａ…とが設けられている。またパソコン８０、８０Ａ…には、診察時に患者の疾病に関する診察情報、撮像情報、カルテ情報、患者に渡す薬に関する処方箋情報等を医師等が入力する入力手段と、入力した情報やネットワーク１４を介して取得した情報、過去の診察情報、カルテ情報、患部の撮像画像等を表示する表示手段と、患者固有のＩＤカード６０と無線又は有線による手段を用いて情報の送受信を実施することが可能な通信手段とが設けられている。
【００２７】
また、受付のパソコン８０と同様に、患者固有のＩＤカード６０と情報の送受信を実施する際に、パソコン８０、８０Ａ…のＰＣカードスロットに記録媒体８７７、８７７Ａ、…の代わりにＩＤカード６０を装着して、パソコン８０、８０Ａ…のＰＣカードインターフェース等の送受信手段を用いてＩＤカード６０と情報の送受信を実施するようにしてもよい。
【００２８】
薬局には、情報の入出力を行うことが可能であるとともにネットワーク１４に接続されているパソコン８０Ｃと、ネットワーク１４を介して取得した該当する患者の処方箋情報を用紙に印刷するプリンタ７０Ｃとが設置されている。パソコン８０Ｃは、薬局の者が受付情報等を入力することが可能な入力手段と、入力した情報やネットワーク１４を介して取得した処方箋情報等を表示する表示手段と、患者固有のＩＤカード６０と無線又は有線による手段を用いて情報の送受信を実施することが可能な通信手段とが設けられている。
【００２９】
また、患者固有のＩＤカード６０と情報の送受信を実施する際に、パソコン８０ＣのＰＣカードスロットに記録媒体８７７Ｃの代わりにＩＤカード６０を装着して情報の送受信を実施するようにしてもよい。
【００３０】
例えばサーバ９０に設けられている画像サーバには、診察時等において撮像した画像を記録することが可能となっている。また、サーバ９０の撮影診察管理サーバには、各患者ごとにどの科で診察の予定があるかの情報や、どのカメラで患部の撮像が予定されているか等の情報が併せて記録されている。更に、どの患者にどのＩＤコード番号が割り振られたＩＤカードを発行して貸与しているかの情報も併せて記録している。
【００３１】
図３に、電子カメラ１０の信号処理系のブロック図を示す。
【００３２】
電子カメラ１０の画像処理部には、被写体の像を受光面に結像させて光電変換し、画像信号として出力する撮像手段１５０（画像取得手段の機能を含む）と、画像サイズの変更、シャープネス補正、ガンマ補正、コントラスト補正、ホワイトバランス補正等の処理を行う画像処理手段１５３と、アナログの画像信号をデジタルの画像データに変換するＡ／Ｄ変換器１５４とが設けられている。
【００３３】
また、画像データ等の情報を通信によって他の電子機器と送受信する電子カメラ１０の通信手段は、画像データ、他の電子機器固有の識別情報等の情報を電波等の搬送波に乗せて送信又は受信する送受信手段１５７（識別情報取得手段、画像取得手段、被写体識別情報取得手段、電子機器識別情報取得手段及び出力手段の機能を含む）と、搬送波及びデータを送受信するアンテナ１５６と、画像データ等の情報を通信ケーブルを介して他の電子機器に送信する通信コネクタ１６２と、電子カメラ１０を装着するクレードルを介して他の通信機器と情報の送受信を行うクレードルコネクタ１６３とから構成されている。
【００３４】
なお、送受信手段１５７及びアンテナ１５６等の通信手段は、電子カメラ１０の外部に切り離して設けられていてもよい。また、患者８が携行するＩＤカード６０のみと無線通信を実施するために、送受信手段１５７及びアンテナ１５６等の通信手段を被写体撮像位置の近傍に設置してもよい。
【００３５】
なお、送受信手段１５７が無線通信により他の電子機器から固有の識別情報を取得する手段である場合において、他の電子機器が出力する無線通信用の搬送波を受信した際の搬送波の強度に応じて固有の識別情報を取得することを可能とする可変受信強度設定手段の機能を備えていてもよい。
【００３６】
この可変受信強度設定手段の機能を備えることによって、一番近傍に存在するＩＤカード６０（一番近傍に存在するため電波強度が一番強い）のみを選択して情報の送受信を実施して唯一の固有の識別情報を取得することが可能となる。
【００３７】
なお、送受信手段１５７が無線通信により他の電子機器から固有の識別情報を取得する手段である場合において、他の電子機器が出力する無線通信用の搬送波を受信する方向を選択して固有の識別情報を取得することを可能とする可変受信方向設定手段の機能を備えていてもよい。
【００３８】
この可変受信方向設定手段の機能を備えることによって、特定の方向に存在するＩＤカード６０（近傍に他の電子機器が存在している場合であってもよい）のみを自動又は手動により選択して情報の送受信を実施して、唯一の固有の識別情報を取得することが可能となる。なおこの場合には、アンテナ１５６に所定の角度の範囲のみ搬送波を受信可能なように、電波等を受信しない範囲にシールド材を設け、アンテナ１５６自体を１軸又は２軸方向にレーダーアンテナのように回動自在に構成してもよい。
【００３９】
また、電子カメラ１０には、画像データ等の情報をＪＰＥＧやモーションＪＰＥＧに代表される手法で圧縮制御したり圧縮したデータを伸張展開制御する処理を行う圧縮伸張手段１６７と、表示手段１６８に表示する各種の文字やメッセージのデータ等を画像とともにオンスクリーンディスプレイするＯＳＤ１６９と、撮像して得た画像データに対してホワイトバランス処理を実施したりガンマ変換、ＹＣ変換処理、画素数の変換処理、電子ズーム処理、トリミング処理等を実施する信号処理手段１７０と、画像データを一時的に記憶しておくフレームメモリ１７１と、デジタルの画像データを表示用のＹＣ信号又はＲＧＢ信号等に変換するＤ／Ａ変換器１７２とが設けられている。
【００４０】
なお、電子カメラ１０にて患部９を撮像する際には、取得した患者のＩＤ、患者氏名、患者の顔写真等の情報や、各種の警告メッセージ等を表示手段１６８に表示することが可能となっている。
【００４１】
なお、前記表示手段１６８は、送受信手段１５７等の識別情報取得手段が複数の固有の識別情報を取得した場合に、１つの固有の識別情報を特定することができない旨の通知を表示する特定不可情報表示手段の機能を備えていてもよい。
【００４２】
また、前記表示手段１６８は、送受信手段１５７等の識別情報取得手段が他の電子機器から固有の識別情報を取得できない場合に、固有の識別情報を取得できない旨の通知を表示する取得不可情報表示手段の機能を備えていてもよい。
【００４３】
また、前記表示手段１６８は、画像を取得する以前と以降とにそれぞれ固有の識別情報を他の電子機器から取得し、両者の識別情報が一致していない場合には固有の識別情報が不一致である旨の通知を表示する不一致情報表示手段の機能を備えていてもよい。
【００４４】
また、前記表示手段１６８は、サーバ９０等から取得した被写体を特定する識別情報と被写体の近傍に存在する他の電子機器から取得した被写体を特定する識別情報とを照合し、該照合の結果両者の識別情報が一致していない場合には前記取得した被写体を特定する識別情報が一致していない旨の通知を表示する被写体不一致情報表示手段の機能を備えていてもよい。
【００４５】
また、前記表示手段１６８は、サーバから取得した画像の取得を実施する電子機器（電子カメラ１０等）を特定する固有の識別情報と、被写体の近傍に存在する他の電子機器から取得した画像の取得を実施する電子機器（電子カメラ１０等）を特定する識別情報とを照合し、該照合の結果両者の識別情報が一致していない場合には、前記取得した電子機器を特定する識別情報が一致していない旨の通知を表示する電子機器不一致情報表示手段の機能を備えていてもよい。
【００４６】
また、電子カメラ１０には、レリーズボタンや通信ボタン、送信ボタン、ファンクションスイッチ、十字キー、確定スイッチ、モード切り換えスイッチ、複数の固有の識別情報の中から１つの固有の識別情報を選択する情報を利用者が入力する操作ボタン等が設けられている入力手段１７４と、入力手段１７４の設定情報等を入出力するインターフェースであるＩ／Ｏ１７５と、記録媒体１７７を着脱可能に装着する記録媒体装着部１７８と、記録媒体１７７に対してアドレスや画像ファイル、電子機器固有の識別情報等の情報を記録したり読み出したりする記録媒体インターフェース１７９（識別情報取得手段、画像取得手段、被写体識別情報取得手段、電子機器識別情報取得手段及び出力手段の機能を含む）とが設けられている。なお、記録媒体１７７は、メモリーカード等の半導体や、ＭＯ等に代表される磁気記録式、光記録式等に代表される着脱可能な記録媒体、又はＩＤカード６０のような記録手段を備えた電子機器等である。
【００４７】
前記送受信手段１５７は、撮像を管理するサーバ９０やＩＤカード６０等の他の電子機器から該電子機器固有の識別情報、利用者又は患者固有の識別情報、撮像する被写体を特定する識別情報、画像を取得する電子機器を特定する識別情報や画像を受信したり、他の電子機器に対して画像ファイルを送信したりすることが可能となっている。
【００４８】
また、他の電子機器は記録媒体１７７には画像や画像ファイルを記録することが可能となっており、該電子機器固有の識別情報、利用者又は患者固有の識別情報、撮像する被写体を特定する識別情報、画像を取得する電子機器を特定する識別情報や画像を取得したり、他の電子機器に対して画像ファイルを出力したりすることが可能となっている。
【００４９】
また電子カメラ１０には、電子カメラ１０全体の制御を行うとともに画像データのサンプリングタイミング制御、画像データの記録制御、画像ファイルの作成制御、画像データの図形認識、通信制御、表示制御等の各種制御を行う情報処理手段１８０（画像ファイル作成手段、被写体情報照合手段、電子機器情報照合手段の機能を含む）と、情報の書き換えが可能であるとともに他の電子機器から取得した各種の識別情報、製造者名、販売者名等の情報を電源遮断後も記憶し続けることが可能な不揮発性メモリ１８２（記録手段）と、電子カメラ１０の機種名、製造者名、製造番号等の電子機器固有の識別情報、動作プログラムの各定数等が記録されているＲＯＭ１８３（記録手段）と、プログラム実行時の作業領域となる記憶手段であるＲＡＭ１８４とが設けられている。
【００５０】
撮像手段１５０、送受信手段１５７及び記録媒体インターフェース１７９等の画像取得手段が取得した画像、及び入力手段１７４を介して入力した識別情報は、記録媒体１７７又は不揮発性メモリ１８２等の記録手段に記録される。
【００５１】
また、電子カメラ１０には、時を刻むカレンダ時計１９０と、電子カメラ１０を駆動するための各種の電力を各周辺回路及び制御回路に供給する電源１９１と、外部の電源から電力の供給を受ける電源コネクタ１９２と、撮影時に被写体に光等の感光用のエネルギーを照射して感光量の不足を補う発光手段１９３と、該発光手段１９３の発光タイミングや発光する光量等のエネルギーの調節を行う発光制御手段１９４とが設けられている。
【００５２】
電子カメラ１０の情報処理手段１８０とその周辺の回路はバス１９９で接続されており、互いに情報の伝達を高速で行うことが可能となっている。
【００５３】
電子カメラ１０の情報処理手段１８０は、不揮発性メモリ１８２、ＲＯＭ１８３等の記録手段に記録されている自己の電子機器固有の識別情報、利用者が入力した識別情報、電子機器の製造者名、電子機器の販売者名等の識別情報と取得した画像とを記載した画像ファイルを作成する画像ファイル作成手段の機能を備えている。
【００５４】
電子カメラ１０の情報処理手段１８０は、電子カメラ１０にて撮像を実施した際、又は送受信手段１５７又は記録媒体インターフェース１７９等の画像取得手段を介して画像を取得した際に、該取得した画像データとともに他の電子機器から取得した識別情報を関連付けた画像ファイルを記録することが可能となっている。
【００５５】
電子カメラ１０の情報処理手段１８０は、画像を管理するサーバ９０等の電子機器から被写体識別情報取得手段が取得した画像の被写体を特定する識別情報と、被写体の近傍に存在するＩＤカード６０等の他の電子機器から識別情報取得手段が取得した被写体を特定する識別情報とを照合する被写体情報照合手段の機能を備えていてもよい。
【００５６】
また電子カメラ１０の情報処理手段１８０は前記照合の結果、両者の識別情報が一致している場合にのみ、取得した画像とその画像の被写体を特定する識別情報とを記載した画像ファイルを作成する機能を備えていてもよい。
【００５７】
電子カメラ１０の情報処理手段１８０は、画像を管理するサーバ９０等の電子機器から電子機器識別情報取得手段が取得した、画像を取得する電子機器（電子カメラ１０…、パソコン８０…等）を特定する識別情報と、被写体の近傍に存在するＩＤカード６０等の他の電子機器から識別情報取得手段が取得した、画像を取得する電子機器（電子カメラ１０…、パソコン８０…等）を特定する識別情報とを照合する被写体情報照合手段の機能を備えていてもよい。
【００５８】
また電子カメラ１０の情報処理手段１８０は前記照合の結果、両者の識別情報が一致している場合にのみ取得した画像とその画像の被写体を特定する識別情報とを記載した画像ファイルを作成する機能を備えていてもよい。
【００５９】
また、電子カメラ１０の情報処理手段１８０は、送受信手段１５７等の識別情報取得手段が他の電子機器から１つの固有の識別情報を取得した場合、又は前記識別情報取得手段が他の電子機器から複数の固有の識別情報を取得した後に利用者が１つの固有の識別情報を選択した場合においてのみ、取得した識別情報と取得した画像とを記載した画像ファイルを作成する機能を備えていてもよい。
【００６０】
当該記録する識別情報は、画像ファイルのヘッダ部分に画像データとともに同一の画像ファイル内に記録しておくと後の処理が容易となる。なお、識別情報の記載は、バイナリデータ、アスキーデータに限定されるものではなく、暗号化された情報であってもよい。また識別情報の記載は、画像ファイルのヘッダ部分に記載する方式に限定されるものではなく、画像データ中に電子透かし等の手法を用いて埋め込んで記載してもよい。
【００６１】
またこの識別情報は、特に利用者の指示が無い限り電子カメラ１０で撮影した画像には全て前記識別情報が併せて記録されるように構成してもよい。そして、利用者が電子カメラ１０に設けられた入力手段１７４を操作することによって、前記識別情報を画像データとともに画像ファイルに記録しないような解除の設定を行うことを可能としてもよい。
【００６２】
画像ファイルに電子機器又は患者８固有の識別情報等の識別情報を画像とともに記録することによって、該画像ファイルを取得した者（医師等の観測者）は受信した画像の患者名、患者ＩＤ、患部の容体、使用機器等の情報を併せて容易に取得することが可能となる。
【００６３】
前記情報処理手段１８０が作成した画像ファイルは、無線又は有線による通信が可能な送受信手段１５７、又は記録媒体インターフェース１７９等の出力手段を介してネットワーク１４の通信端末として機能するパソコン８０等の通信機器に出力される。また前記送受信手段１５７を介して直接サーバ９０に出力するようにしてもよい。
【００６４】
上記のとおり構成された電子カメラ１０による撮影、記録までの処理について以下に説明する。
【００６５】
撮像する被写体像は、電子カメラ１０のレンズによって撮像手段１５０の受光面に結像し、該結像した被写体像は光電変換されて画像処理手段１５３に出力される。画像処理手段１５３では、この画像信号に対して増幅やノイズの低減処理を実施し、Ａ／Ｄ変換器１５４にてデジタルデータに変換した後に一時期フレームメモリ１７１に記憶する。
【００６６】
情報処理手段１８０は、フレームメモリ１７１に記憶されている画像データを逐次Ｄ／Ａ変換器１７２に伝達する指示を行い、ＯＳＤ１６９から発生される情報とともに表示手段１６８に表示している。
【００６７】
医師等の撮像者が、撮像を意図して入力手段１７４に設けられているレリーズボタンを押すと情報処理手段１８０は被写体を撮影するモードに入る。すると情報処理手段１８０は、フレームメモリ１７１に記憶されている画像データを圧縮伸張手段１６７に転送して、所定の条件で画像データの圧縮処理を実施する指令を出力する。
【００６８】
次に、情報処理手段１８０は、不揮発性メモリ１８２又は記録媒体１７７に記録されている他の電子機器から取得した例えば被写体となる患者８に固有の識別情報等を読み出して、例えば画像ファイルのヘッダ部に設けられている付属情報記録部分に記録する処理を行う。また、画像データは、画像ファイルの所定の画像記録領域に記録する処理を行う。なお、以降の撮影又は画像の取得においては利用者による指示がなされない限り、作成する画像ファイルには取得した画像データと識別情報とが記載されるように構成してもよいが、医療用画像の場合には被写体となる患者と記録されている識別情報とが必ず一致している必要があるため、表示手段１６８等に記録されている識別情報に該当する患者の顔写真や氏名等を表示して、撮像者に対して確認を要求するようにしてもよい。
【００６９】
また取得した画像とともに記録する識別情報は、ただ単に患者固有の識別情報のみを画像ファイルに記録するのではなく、患者の氏名、顔写真等の患者情報とともに記載するようにしてもよい。
【００７０】
なお、上記の説明では電子機器を電子カメラとした実施の形態で説明したが、本発明は電子カメラに限定されるものではなく、記録媒体１７７等を介して情報の受け渡しが可能な電子機器（パソコンに代表される情報処理装置を含む）、又は有線又は無線の通信手段を備えた電子機器であっても本発明の目的を達成することが可能である。
【００７１】
図４は、ＩＤカードの信号処理系のブロック図である。
【００７２】
同図によれば、ＩＤカード６０の情報送受信部には、近距離用無線通信手段として用いるアンテナ６５６と、情報を無線送受信するために所定の形式にデータを変換する送受信手段６５７（識別情報取得手段、画像取得手段、被写体識別情報取得手段、電子機器識別情報取得手段及び出力手段の機能を含む）とが設けられている。
【００７３】
また、ＩＤカード６０には、画像や文字等の情報を表示する表示手段６６８（電子カメラ１０の表示手段１６８と同様の機能を備えていてもよい）と、情報処理手段の指令に基づいて表示手段６６８に対して表示用の画像信号を出力する表示制御手段６６９とが設けられている。
【００７４】
また、ＩＤカード６０には、ＩＤカード６０の全体の制御を行う情報処理手段（ＣＰＵ）６８０（電子カメラ１０の情報処理手段１８０と同様の機能を備えていてもよい）と、ＩＤカード６０の処理に関する各種定数や他の通信機器に通信接続する際の属性情報、アドレス、撮像を実施する予定である電子カメラ１０…等の電子機器固有の識別情報、当該ＩＤカード６０を貸与している患者８固有の識別情報、自己のＩＤカード固有の識別情報（ＩＤ番号）等の情報を記録する読み書き可能な不揮発性メモリ６８２と、情報処理手段６８０を動作させるファームウェア等の処理プログラムや各種定数、当該ＩＤカード固有の識別情報（ＩＤ番号）等の各種情報が記録されている読み出し専用のＲＯＭ６８３と、情報処理手段６８０が処理を実行する際の作業領域となる記録手段であるＲＡＭ６８４とが設けられている。
【００７５】
なお電源６９１に用いる電池は、同図に示すようにＩＤカード６０内部に設けてもよいし、他の電子機器から電磁波等の伝達手段によって供給するようにしてもよい。ただし、この場合にはＩＤカード６０をパソコン８０…等のカードリーダとなる他の電子機器に近づけて電源の供給を受ける必要がある。しかし、ＩＤカード６０自体では電池を交換したり充電したりといった電源の管理を行う必要がないので、ＩＤカード６０を多数管理する場合にはＩＤカード６０の電源管理が不要となるという利点がある。
【００７６】
また、ＩＤカード６０の電源は１次電池のみであってもよいし、２次電池のみであってもよいし、これらを組み合わせた電源であってもよい。
【００７７】
またＩＤカード６０の電源に電源スイッチを設けて、使用する病院内でのみ動作可能な状態に各周辺回路に電源を供給するように構成してもよい。この電源スイッチは利用者が操作可能なスイッチであってもよいし、情報処理手段１８０が送受信手段１５７等を介して取得した情報に基づいて電源の供給と停止とを制御するものであってもよい。
【００７８】
また電源の供給は、投入のみ手動又は通信により自動で行い、停止をタイマーで制御して一定時間経過後に電源が遮断されるように構成してもよい。
【００７９】
またＩＤカード６０には、時刻を刻むカレンダ時計６９０と、ＩＤカード６０を駆動するための各種の電力を各周辺回路及び制御回路に供給する電源６９１と、外部の電源から電池の充電等の用途のために電力の供給を受ける電源コネクタ６９２とが設けられている。
【００８０】
ＩＤカード６０内の情報処理手段６８０と、表示制御手段６６９、不揮発性メモリ６８２、ＲＯＭ６８３、ＲＡＭ６８４、カレンダ時計６９０等を含む各周辺回路はバス６９９で接続されており、情報処理手段６８０は各々の周辺回路を制御することが可能となっている。
【００８１】
近距離用の無線通信手段は、電波、超音波、赤外線等の光、等の搬送波を用いた通信手段である。電波を用いる場合には、無線ＬＡＮ（ローカルエリアネットワーク）等の無線通信の仕様に基づいてもよい。
【００８２】
ＩＤカード６０の情報処理手段６８０は、不揮発性メモリ６８２又はＲＯＭ６８３等の記録手段に記録されている患者８固有の識別情報や撮像を実施する予定である電子カメラ１０固有の識別情報等の情報を読み出して、送受信手段６５７を介して電子カメラ１０…又はパソコン８０、８０Ａ…等の他の通信機器に送信することが可能となっている。
【００８３】
また、患者８固有の識別情報に限らず、患者８の氏名や患者８を特定する顔写真等の患者情報、又は本日撮像に利用する電子カメラのリストを送信するようにしてもよい。この患者８固有の識別情報等の患者情報の送信は、無線通信が確立して通信相手の電子機器を特定した際に自主的且つ定期的に他の電子機器に送信するようにしてもよいし、他の電子機器から前記患者情報の送信要求があった場合にのみ、該患者情報を送信するようにしてもよい。
【００８４】
なお、不揮発性メモリ６８２に患者固有の識別情報（患者ＩＤ等の情報）を記録する際には、患者が初診の受付を行う際にパソコン８０Ｂを経由して患者固有の識別情報を受信して、記録するようにしてもよい。不揮発性メモリ６８２に記録された患者固有の識別情報は、ＩＤカード６０の電池が消耗した場合であっても記録し続けることが可能であるため好都合となる。
【００８５】
なお、診察に利用する電子カメラの識別情報が記載されたカメラリストの情報は、患者が診察に病院を訪れた際の受付にてパソコン８０Ｂを介して受信し、不揮発性メモリ６８２又はＲＡＭ６８４等の記録手段に記録される。
【００８６】
図５は、パソコンの信号処理系のブロック図である。
【００８７】
同図によれば、パソコン８０の情報送受信部には、近距離用無線通信手段として用いるアンテナ８５６と、情報を無線又は有線により送受信するために所定の形式にデータを変換する送受信手段８５７（識別情報取得手段、画像取得手段、被写体識別情報取得手段、電子機器識別情報取得手段及び出力手段の機能を含む）と、通信ネットワーク８６０等の通信網を介して他の通信機器（サーバ９０等）と情報の送受信を行うための送受信手段８６５（送信手段及び受信手段の機能を含む）とが設けられている。該通信ネットワーク８６０は、図２に示すネットワーク１４と接続されていてもよい。
【００８８】
また、パソコン８０には、画像や文字等の情報を表示する表示手段８６８（電子カメラ１０の表示手段１６８と同様の機能を備えていてもよい）と、情報処理手段の指令に基づいて表示手段８６８に対して表示用の画像信号を出力する表示制御手段８６９と、医師等の利用者が入力手段８７４を介して入力した各種情報を読み取って後述する情報処理手段に伝達したり、情報処理手段からの指示に基づいてＬＥＤ等の通知手段に表示指令を出力するＩ／Ｏ８７５とが設けられている。
【００８９】
また、パソコン８０には、記録媒体８７７を着脱可能に装着する記録媒体装着部８７８と、記録媒体８７７又はＩＤカード６０に対して画像データ等の情報を記録したり読み出したりする記録媒体インターフェース８７９とが設けられている。なお、記録媒体８７７は、前記記録媒体１７７と同様の着脱可能な記録媒体であってもよい。
【００９０】
また記録媒体装着部８７８と、記録媒体８７７又はＩＤカード６０との間の情報の送受信手段は、ＰＣカード用のコネクタ等の接触式の送受信手段であってもよいし、電波又は光等を用いた無線による送受信手段であってもよい。送受信手段に電波を用いる場合には、利用する電波の強度を弱く設定して、近くに存在する他の記録媒体８７７又はＩＤカード等と混信しないようにするか、又は記録媒体装着部８７８の周囲に電波や磁気を遮るシールドを施すことによって確実に所定の記録媒体８７７又はＩＤカード６０を特定して情報の送受信を実施するように構成してもよい。なお該シールドが存在していても、記録媒体８７７又はＩＤカードの挿抜は自在に可能である。
【００９１】
また、パソコン８０には、パソコン８０の全体の制御を行う情報処理手段（ＣＰＵ）８８０（電子カメラ１０の情報処理手段１８０と同様の機能を備えていてもよい）と、情報処理手段８８０を動作させるプログラムや各種定数が記録されているＲＯＭや情報処理手段８８０が処理を実行する際の作業領域となる記録手段であるＲＡＭとから構成されるメモリ８８１と、パソコン８０の処理に関する各種定数やネットワーク上の通信機器に通信接続する際の属性情報、アドレス、ＩＤカード６０固有の識別情報、電子カメラ等の電子機器固有の識別情報、ＤＮＳ（Domain Name System）等の接続情報等の情報を記録するハードディスク等の記録手段８８６と、時刻を刻むカレンダ時計８９０とが設けられている。
【００９２】
パソコン８０内の情報処理手段８８０と、表示制御手段８６９、Ｉ／Ｏ８７５、メモリ８８１、記録手段８８６、カレンダ時計８９０等を含む各周辺回路はバス８９９で接続されており、情報処理手段８８０は各々の周辺回路を制御することが可能となっている。
【００９３】
近距離用の無線通信手段は、電波、超音波、赤外線等の光、等の搬送波を用いた通信手段である。電波を用いる場合には、無線ＬＡＮ（ローカルエリアネットワーク）等の無線通信の仕様に基づいてもよい。
【００９４】
パソコン８０の情報処理手段８８０は、送受信手段８５７又は記録媒体インターフェース８７９等の画像取得手段を介して画像を取得した際に、該取得した画像データとともに、ＩＤカード６０等の電子機器から取得した識別情報を関連付けて記載した画像ファイルを作成してサーバ９０等に送信するようにしてもよい。
【００９５】
なお、上記の説明では通信機器をパソコン８０とした例で説明したが、情報処理手段、通信手段等を備えた通信機器であれば、電子手帳やＩＤカード等の通信端末であってもよい。また、受付等に設置されているパソコン８０Ｂ等は、カードリーダ／ライタ等の電子機器であってもよい。また、パソコン８０が電子カメラ１０のような撮像に関する機能を備えていてもよい。
【００９６】
図６に、サーバの信号処理系のブロック図を示す。
【００９７】
同図によれば、サーバ９０の情報送受信部には、近距離用無線ネットワーク通信手段として用いるアンテナ９５６と、情報を無線又は有線にて送受信するために所定の形式にデータを変換する送受信手段９５７（識別情報取得手段、画像取得手段、被写体識別情報取得手段、電子機器識別情報取得手段及び出力手段の機能を含む）と、通信ネットワーク９６０等の通信網を介して他の通信機器（パソコン８０、電子カメラ１０等）と情報の送受信を行うためのネットワーク用送受信手段９６５（送信手段及び受信手段の機能を含む）とが設けられている。該通信ネットワーク９６０は、図２に示すネットワーク１４と接続されていてもよい。
【００９８】
また、サーバ９０には、必要に応じて画像や文字等の情報を確認のために表示する表示手段９６８（電子カメラ１０の表示手段１６８と同様の機能を備えていてもよい）と、情報処理手段の指令に基づいて表示手段９６８に対して表示用の画像信号を出力する表示制御手段９６９と、管理者が入力手段９７４を介して入力した各種情報を読み取って後述する情報処理手段に伝達したり、情報処理手段からの指示に基づいてＬＥＤ等の通知手段に表示指令を出力するＩ／Ｏ９７５とが設けられている。
【００９９】
また、サーバ９０には、サーバ９０の全体の制御を行う情報処理手段９８０（電子カメラ１０の情報処理手段１８０と同様の機能を備えていてもよい）と、情報処理手段９８０を動作させるプログラムや各種定数が記録されているＲＯＭや情報処理手段９８０が処理を実行する際の作業領域となる記録手段であるＲＡＭとから構成されるメモリ９８１と、サーバ９０の処理に関する各種定数やネットワーク上の自己の属性情報、ＵＲＬ（Uniform Resource Locators ）、アドレス、ＤＮＳ（Domain Name System）、患者８固有の識別情報、患者８が携行するＩＤカードの識別情報、各科で使用している電子カメラ１０、１０Ａ…等の電子機器識別情報、撮像した患部９等の画像、取得した画像ファイルに記載されていた各種の識別情報、各患者の診察情報、各患者のカルテ情報等の各種情報を記録するハードディスク等の記録手段９８６（識別情報記録手段および診察情報記録手段、撮影診察管理サーバ、画像サーバの機能を含む）と、時刻を刻むカレンダ時計９９０とが設けられている。
【０１００】
サーバ９０内の情報処理手段９８０と、表示制御手段９６９、Ｉ／Ｏ９７５、メモリ９８１、記録手段９８６、カレンダ時計９９０等を含む各周辺回路はバス９９９で接続されており、情報処理手段９８０は各々の周辺回路を制御することが可能となっている。
【０１０１】
該サーバ９０は、ネットワーク１４に接続されている各科のパソコン８０、８０Ａ…等の通信機器から画像ファイルを受信して、該受信した画像を記録手段９８６に記録するとともに、該画像を通信ネットワークを介して特定又は一般の医師等に公開するなどのサービスを提供することが可能となっている。またサーバ９０は、医師等の利用者の要望に応じて受信した画像を用紙にプリントして配送する処理を実施することを可能にするために印刷手段を設けた構成としてもよい。
【０１０２】
また、ネットワーク９６０を介してパソコン８０、８０Ａ…等の通信機器から患者固有の識別情報や患者の診察予定の送信要求等の情報を取得して、記録手段９８６に記録されているその日の指定された患者の診察予定を検索して読み出し、要求のあったパソコン８０、８０Ａ…等の通信機器に送信するようにしてもよい。
【０１０３】
また、各患者が当該病院を利用した際に発生する診察料金や治療料金、薬の代金等の利用金額、利用回数、利用内容等の各種利用情報は、相互に関連付けて記録手段９８６に記録してもよい。また前記各種情報に応じて得点又はポイントを計数して記録手段９８６に記録するようにしてもよい。
【０１０４】
以下に、患者８が来院して患部９の撮像を実施するまでの手続き等について説明する。
【０１０５】
先ず患者８が診察に訪れると、患者８固有のＩＤカード６０を利用した受付を行う。ＩＤカード６０と受付のパソコン８０Ｂとが無線の通信手段等を用いて情報の送受信を実施する場合には、ＩＤカード６０と受付のパソコン８０Ｂとを近づけてお互いの電子機器を近距離無線通信の実施圏内に入れる。するとお互いの通信機器が自動で無線による通信を開始する。ＩＤカード６０と受付のパソコン８０Ｂとが通信接続を開始してお互いの電子機器どうしの認証処理を終了すると、以降必要な情報の送受信を開始して患者８の受付に関する処理を実行する。
【０１０６】
パソコン８０Ｂが患者８のＩＤカード６０を認識すると、パソコン８０はＩＤカード６０に記録されている患者８固有の識別情報を取得してサーバ９０にネットワーク１４を介して送信し、併せてその日に患者８を診察する予定をサーバ９０に対して問い合わせる。
【０１０７】
前記患者８固有の識別情報と問い合わせ情報とを受信したサーバ９０の情報処理手段９８０は、例えばサーバ９０の記録手段９８６に設けられている撮影診察管理サーバ領域内を検索して、その日の患者８の診察予定を抽出する処理を行う。
【０１０８】
図７に、サーバ９０の撮影診察管理サーバ領域等の記録手段９８６に記録されている患者情報の記載例を示す。
【０１０９】
同図に示すように、記録されている患者情報には、患者の氏名、住所、電話番号、連絡先、カルテ番号、発行ＩＤカード番号、診察予定、撮影予定、投薬予定その他の各種の情報が記載されている。なおこれらの各患者情報は、患者固有の識別情報である患者ＩＤ等の識別情報と関連付けて記録されている。
【０１１０】
その日の患者８の診察予定を検索したサーバ９０の情報処理手段は、検索した情報のうち本日患者８が行う診察に関する診察情報をパソコン８０Ｂに送信する。該情報を受信したパソコン８０Ｂは、受信した診察情報を表示手段に表示するとともに、無線の通信手段等を経由してＩＤカード６０に送信する。該診察情報を受信したＩＤカード６０は、受信した診察情報を不揮発性メモリ６８２等の記録手段に記録する。なお受信した診察情報には、本日の診察で撮像する際に利用する電子カメラを特定する識別情報、撮像カメラＩＤリスト等の情報が含まれていてもよい。
【０１１１】
患者８の受付を終了すると、患者８は指定された科の診察室に向かい、診察の順番を待つ。このとき患者８は既にＩＤカード６０を携行しているため電子カメラ１０、１０Ａ…等の近傍に行くと患者のＩＤカード６０と各科に備えられている電子カメラ１０、１０Ａ…と無線の通信を開始してしまうが、待合室は電子カメラ１０、１０Ａ…から無線による通信が実施できない程度離れた位置（図２に示す距離ｄ１〜ｄ５以上離れた無線通信Ｉ／Ｆが到達しない位置）に設置してあるか、又はカメラ１０、１０Ａ…の無線通信用の電波を減衰するシールドの外側に設置している。そのため患者８が待合室に居る際に、患者８が携行しているＩＤカード６０と撮像を実施する電子カメラは１０、１０Ａ…とが自動的に無線通信を開始することはない。
【０１１２】
患者８が診察を受ける順番になり、患者８が診察室に入ると医師等による診察が開始される。そして患者８の患部９の撮像を実施する場合には、患者８は電子カメラ１０に近づいて所定の被写体撮影位置範囲に入り、患部９を撮像する準備を行う。各電子カメラ１０、１０Ａ…の近傍に設けられた各々の被写体撮影位置は、電子カメラ１０、１０Ａ…とＩＤカード６０等との間で無線の通信を実施することが可能なように設定されている範囲で、例えばお互いの電子機器間の距離が無線通信可能な距離（図２に示すｓ１〜ｓ４の無線通信Ｉ／Ｆの到達距離範囲内に相当する）に設定されている。
【０１１３】
なお図２に示す脳外科の診察室のように、同室に複数台の電子カメラ１０Ｄと１０Ｅとが設置されているため、電子カメラ１０Ｅの被写体撮影位置と電子カメラ１０Ｄとが近い場合には、無線通信用の電波を減衰させるシールド壁１６を設けて、電子カメラ１０Ｅの被写体撮影位置に存在するＩＤカードと電子カメラ１０Ｄとが自動で無線通信を開始しないように設定されている。
【０１１４】
図８に、電子カメラにおける撮像可否の判断処理のフローチャートを示す。
【０１１５】
本発明では、電子カメラ１０にて患者８の患部９等の撮像を実施した際に、撮像した画像とともに患者固有の識別情報をＩＤカード６０から取得して画像ファイルに記載している。そのため、患者８の患部９を撮像する際に電子カメラ１０の近傍に複数のＩＤカードが存在すると、電子カメラ１０としてはどのＩＤカードが患者８のＩＤカードであるかが判別できなくなってしまうか、又は撮像した画像とともに記載すべく患者８固有の識別情報の代わりに誤って他の患者の識別情報を記載してしまう可能性がある。
【０１１６】
画像ファイルに記載されている患部９の画像と患者８の識別情報とが一致していない場合には、後の診察工程で医師が正しい医療判断ができなくなってしまうため、医療現場等においては識別情報の不一致は許されない。
【０１１７】
また、撮像した画像が記録されている画像ファイルに患者固有の識別情報が記載されていないと、後の工程で画像と患者とを照合して関連付けて記録する作業が必要となる。この際にも画像が多数存在する場合には画像と患者とを間違えて登録してしまう可能性があるとともに、作業者による情報の入力ミスが発生する可能性もある。
【０１１８】
したがって、撮像に際して患者固有の識別情報を自動で取得して、撮像した患者の画像とともに画像ファイルに関連付けて記載する場合には、電子カメラ１０等の画像ファイルを作成する電子機器自身が、画像を取得するその時に唯一の患者８を認識していることが重要な要件となる。
【０１１９】
また、患者８が携行するＩＤカード６０に記録されている本日の診察予定及び撮像予定の中に、電子カメラ１０で撮像する予定がない場合には、患者が診察室を間違えた可能性があるので、撮像の実施を中止する必要がある。
【０１２０】
上述のように、電子カメラ１０が無線通信を介してＩＤカード６０等の他の電子機器から患者固有の識別情報を取得する場合には、電子カメラ１０の無線通信圏内に存在するＩＤカードが唯一であること、且つ、受信した本日の撮像予定のカメラＩＤリストの中に自己の電子カメラ１０の識別情報が含まれていることが、撮像を許可する条件となる。以下の実施例では、この条件が成立する場合にのみ撮影可能フラグをセットして、画像撮像実行処理に伝達している。
【０１２１】
また、ＩＤカード６０から取得した患者８固有のＩＤなどの識別情報を、電子カメラ１０の表示手段１６８に表示して作業者に通知するようにしているので、電子カメラ１０を操作する医師等の作業者は、撮像する画像とともに画像ファイルに記載される患者８の識別情報が、一致した正しい情報であるか否かを容易に確認することが可能となっている。
【０１２２】
なお、電子カメラ１０の無線通信圏内に、患者８が正しい被写体撮影位置に存在しない等の理由により患者８のＩＤカード６０を検出できない場合（ＩＤカード６０を無線通信によって検出できない場合）、又はいてはならないはずの他の患者が被写体撮影位置に存在する等の理由により電子カメラ１０が複数のＩＤカードの存在を検出している場合、又は患者のＩＤカードに記録されている撮像予定に含まれていない電子カメラ１０で撮像の実施をしようとした等の理由により電子カメラ１０の無線通信圏内に存在するＩＤカードが１つであっても受信されたカメラＩＤリストの中に自己の電子カメラ１０が含まれない場合には、何れの場合においても撮影可能フラグは許可状態（セット状態）とはせずに不許可状態（リセット状態）として、画像撮像実行処理に伝達している。
【０１２３】
電子カメラ１０の電源が投入されると、情報処理手段１８０の処理プログラムはＳ１００「電源投入」（以降Ｓ１００のように省略して記載する）の撮像可否判断の処理ルーチンに分岐し、次のＳ１０２「撮影可能フラグをリセット」の処理に進む。
【０１２４】
Ｓ１０２では、電子カメラ１０による撮像を許可する「撮影可能フラグ」をリセットして、撮像不可能の状態にセットする。そして次のＳ１０４「患者ＩＤ受信可能？」の判断に進む。
【０１２５】
Ｓ１０４では、撮像に訪れた患者８がＩＤカード６０を携行しているか否かのチェックを行うために、情報処理手段１８０が送受信手段１５７を介してＩＤカード６０と通信を試みる処理を実施する。このとき、送受信手段１５７からＩＤカード６０を捜索する信号を送信してＩＤカード６０からの応答を求めてもよい。またＩＤカード６０が、例えば時間Ｔ毎に定期的に患者固有の識別情報、患者の氏名や患者を特定する顔写真等の患者情報、又は本日撮像に利用する電子カメラのリストを送信している場合には、送受信手段１５７が時間Ｔ以上無線通信の状態を監視してＩＤカード６０が発する信号の有無を判断してもよい。
【０１２６】
もしＳ１０４にてＩＤカード６０と情報の送受信を行うことができない等の理由で、情報処理手段１８０が患者８固有の識別情報を取得できなかった場合には、処理プログラムはＳ１０６「メモリから患者ＩＤとカメラＩＤリストを削除」に進み、不揮発性メモリ１８２又はＲＡＭ１８４等の記録手段に記録されていた患者８固有の識別情報や本日撮像に利用する電子カメラ固有の識別情報等を削除する処理を行う。そして次のＳ１０８「カメラのＬＣＤに『患者を検出不能』の旨の表示」に進む。
【０１２７】
Ｓ１０８では、撮像作業者等にＩＤカード６０を検出できないことを通知するために、情報処理手段１８０は表示手段１６８に対して患者固有の識別情報又はＩＤカード６０等を検出できない旨の表示を行う指示を出力する。
【０１２８】
次のＳ１１０「撮影可能フラグをリセット」では、電子カメラ１０がＩＤカード６０を検出できていないことを受けて、撮像を許可する撮影可能フラグをリセットする処理を行う。そしてＳ１０４の判断に戻る。
【０１２９】
また、もしＳ１０４にてＩＤカード６０と情報の送受信を行って、情報処理手段１８０が患者８固有の識別情報を取得した場合には、処理プログラムはＳ１１２「受信される患者のＩＤは１個ｏｒ複数？」の判断に進む。ここのＳ１１２では、電子カメラ１０が通信を実施した通信相手のＩＤカードが、唯一のＩＤカード６０であったか又は複数のＩＤカードと通信を実施したかの判断を行っている。
【０１３０】
もし電子カメラ１０が複数のＩＤカードと通信を実施した場合には、電子カメラ１０の近傍に複数の患者が存在しているため、これから撮像を行う患者を特定できないと判断して、Ｓ１１４「カメラのＬＣＤに『患者が複数存在する』旨の表示」に進む。Ｓ１１４では情報処理手段１８０が、患者が電子カメラ１０の近傍に複数人存在するため、撮像する患者を特定できない旨の通知を表示手段１６８に表示する指示を出力する。
【０１３１】
次のＳ１１６「撮影可能フラグをリセット」では、電子カメラ１０が撮像を行う患者８唯一のＩＤカード６０を検出できていないことを受けて、撮像を許可する撮影可能フラグをリセットする処理を行う。そしてＳ１０４の判断に戻る。
【０１３２】
Ｓ１１２の判断で電子カメラ１０が唯一のＩＤカード６０と通信を実施したと判断した場合には、電子カメラ１０の近傍には一人の患者しか存在しておらず、これから撮像を行う患者８を特定できたと判断してＳ１１８「患者ＩＤを受信してメモリに記憶  撮影カメラリストを受信してメモリに記憶」の処理に進む。
【０１３３】
Ｓ１１８では、電子カメラ１０の送受信手段１５７がＩＤカード６０と通信を行って患者ＩＤ又はカードＩＤ等の患者８を特定する固有の識別情報を取得し、不揮発性メモリ１８２又はＲＡＭ１８４等の記録手段に記録する処理を行う。また、本日患者８が診察で利用する予定の電子カメラ１０、１０Ａ…等を特定するカメラリストを取得して、不揮発性メモリ１８又はＲＡＭ１８４等の記録手段に記録する処理を行う。そして次のＳ１２０「患者ＩＤをカメラＬＣＤに表示」の処理に進む。
【０１３４】
Ｓ１２０では、前記取得して記録した患者ＩＤ又はカードＩＤ等の情報に基づいて、患者ＩＤ、カードＩＤ、患者の氏名、又は患者の顔写真等の患者８を特定する識別情報を表示手段１６８に表示する指示を出力する。表示手段１６８には、患者８に関する固有の識別情報が表示されるので、患者８の患部９等の撮像を実施する医師又は作業者は、容易に患者８と照合することが可能となる。後に撮像した患部９の画像と患者８を特定する固有の識別情報とは同一の画像ファイルに記載されるので、後の工程で患者と画像とを取り違えるといった処理のミスを防止することが可能となる。
【０１３５】
次のＳ１２２「自分のカメラＩＤは撮影カメラＩＤリストに有り？」の判断では、ＩＤカード６０から取得した本日撮像を実施する予定のカメラＩＤリストに、自己の電子カメラ１０固有の識別情報の記述があるか否かの判断を行っている。もしカメラＩＤリストに自己の電子カメラ１０の固有の識別情報が記載されていない場合には、処理プログラムはＳ１２４「カメラのＬＣＤに『撮影が予定されていない』旨の表示」に進む。
【０１３６】
Ｓ１２４では情報処理手段１８０が、唯一の患者が電子カメラ１０の近傍に存在するものの、患者８に対する当該電子カメラ１０での撮像予定は、本日の撮像予定に入っていないため、撮像を実施する必要がない旨の通知を表示手段１６８に表示する指示を出力する。
【０１３７】
次のＳ１２６「撮影可能フラグをリセット」では、患者８の撮像予定に電子カメラ１０にて撮像を行う予定が含まれていないことを受けて、撮像を許可する撮影可能フラグをリセットする処理を行う。そして、Ｓ１０４の判断に戻る。
【０１３８】
もしＳ１２２で、ＩＤカード６０から受信したカメラＩＤリストに自己の電子カメラ１０の固有の識別情報が記載されている場合には、処理プログラムはＳ１２８「撮影可能フラグをセット」に進む。次のＳ１２８では、唯一の患者８を検出できているとともに、自己の電子カメラ１０が患者８の撮像予定に組み込まれていることを受けて、情報処理手段１８０は電子カメラ１０にて患者８の患部９を撮像可能な状態に設定するために、撮影フラグをセットする。そしてＳ１０４の処理に戻る。
【０１３９】
以降、患者８が携行するＩＤカードが無線通信の圏外に去った場合、又は他の患者が電子カメラ１０に接近して情報処理手段１８０が複数のＩＤカードを検出した場合には、撮影可能フラグをリセットするとともにその旨の通知を表示手段１６８に表示して、医師又は作業者に注意を促す。
【０１４０】
なお、この撮像可否の判断処理は、情報処理手段１８０がタイマーの割り込み処理又はポーリング等の処理によって定期的に実施するように構成する。
【０１４１】
図９に、電子カメラ１０にて撮像を指示した際の撮像処理に関するフローチャートを示す。
【０１４２】
患者８が被写体撮影位置にて撮像の準備を完了して、医師等の作業者が患部９の撮像を実施する際に、電子カメラ１０の入力手段に設けられているレリーズボタンを直接、又はリモートコントロールで撮像の指示を入力すると、電子カメラ１０の情報処理手段１８０の処理プログラムはＳ２００「レリーズボタン押下」に分岐してきて、次のＳ２０２「撮影可能フラグ？」の判断に進む。
【０１４３】
電子カメラ１０が可視光を撮像して記録する電子カメラである場合には、レリーズボタンは電子カメラ１０に直接設けられている場合が多いが、ＭＲＩ等の大型の撮像装置を用いて患部を撮像する場合には、一般に撮像装置本体とレリーズボタンとは離れた位置に存在するのが一般的である。
【０１４４】
Ｓ２０２の判断では、前述の撮影可能フラグがセットされているか、又はリセットされているかの判断を行っている。もし撮影可能フラグがリセットされていて、撮像を許可しない状態である場合には、処理プログラムはＳ２２０「次撮影Ｒｅａｄｙ」に進み、本撮像処理に関する処理を終了して、元の処理ルーチンに戻る。
【０１４５】
またＳ２０２にて、撮影フラグがセットされていると判断した場合には、処理プログラムは次のＳ２０４「メモリから患者ＩＤ取得（撮影前ＩＤ）」に進み、不揮発性メモリ１８２又はＲＡＭ１８４等の記録手段に記録されている患者８固有の識別情報等を読み出す処理を行う。
【０１４６】
次のＳ２０６「撮影実行」では、撮像等を実施して画像を取得する。
【０１４７】
次のＳ２０６「メモリから患者ＩＤ取得（撮影後ＩＤ）」では、再び前記記録手段に記録されている患者ＩＤを取得する。ここで患者ＩＤを再び取得する理由は、撮像前に取得した患者８の識別情報と思われる情報が、何らかの理由で患者８本人の識別情報ではなく他の患者の識別情報であった場合に、患者８の患部９の画像とともに他の患者の識別情報を画像ファイルに記載してしまう不具合を排除するためである。
【０１４８】
なお、前記の何らかの理由とは、患者８が撮像時にＩＤカード６０を持っていないか、又はＩＤカード６０と電子カメラ１０とが無線通信を実施できない状態下で、たまたま近くを通りかかった他の患者が携行するＩＤカードを電子カメラ１０が認識して、この他の患者が携行するＩＤカードから取得した他の患者の固有の識別情報を前記記録手段に記録してしまっている場合等が考えられる。
【０１４９】
また、撮像に要する時間が長い場合などには、患者８が所定の被写体撮影位置から移動して出てしまう場合も考えられる。医療の現場での撮像画像の取り違えは、患者に対する診療に致命的な結果を招く恐れが高いため、以下に示すように撮像前と撮像後にて撮像対象となる患者８の識別情報を確認する処理を行っている。
【０１５０】
次のＳ２１０「撮影前ＩＤ＝撮影後ＩＤ？」の判断では、Ｓ２０４にて取得した撮影前ＩＤと、今回Ｓ２０８にて取得した撮影後ＩＤとを比較して、お互いが等しいＩＤであるか否かの判断を行っている。もし、撮影前ＩＤと撮影後ＩＤとが異なっている場合には、処理プログラムはＳ２１２「カメラのＬＣＤに『患者が変更されたので再撮影を行うべき』旨の表示」に分岐する。
【０１５１】
Ｓ２１２では、撮影前に取得した患者の識別情報と、撮影後に取得した患者の識別情報とが異なっていることを受けて、電子カメラ１０の表示手段１６８に、撮像対象となっている患者８と電子カメラ１０がＩＤカード６０等を介して取得した患者８固有の識別情報とが異なっている可能性がある旨の表示を行って、医師等の作業者に通知する。そして処理プログラムはＳ２２０に進み、撮像処理の処理ルーチンを終了して元の処理ルーチンに戻る。
【０１５２】
またＳ２１０にて、撮影前ＩＤと撮影後ＩＤとが等しいと判断した場合には、処理プログラムは次のＳ２１４「撮影前ＩＤ（＝撮像後ＩＤ）を画像データに添付」に進む。Ｓ２１４で情報処理手段１８０は、撮像した画像に対して記録に適した画像処理を行って画像ファイルに記載するとともに、前記取得した撮影前ＩＤを画像ファイルに添付する処理を行う。画像ファイルと患者の識別情報とは別のファイルに記載してお互いのファイルを関連付けておくことによっても、撮像した患部９の画像が誰を撮像した画像であるかを容易に知ることが可能となる。また前述のように、画像ファイルと患者の識別情報とを同一の画像ファイルに記載してお互いの情報を関連付けてもよい。
【０１５３】
図１０に、ＩＤカード６０を介して取得した患者８の識別情報と患者８の患部９を撮像した画像とを関連付けて記録する際に、同一のファイル内に関連付けて記載した画像ファイルの構造例を示す。
【０１５４】
同図に示すように画像ファイル２０には、画像に付属する各種の情報が記載されているヘッダ部２２と、撮像した患者８の患部等の画像が記録されている主画像部２４とが設けられている。ヘッダ部２２には、患部等の画像を撮像した日時が記載されている撮影日時情報２６と、画像を撮像した患者のＩＤカード６０等から取得した患者の識別情報である患者ＩＤ２８と、画像を撮像又は取得した電子カメラ１０等の電子機器固有の識別情報であるカメラＩＤ３０と、画像ファイルの一覧表示等に利用する縮小画像等のサムネイル画像３２とが記載されている。
【０１５５】
このように、画像ファイル２０に画像データとともに患者ＩＤ２８を記載しておくことによって、患者ＩＤ２８と画像とを関連付けて記録媒体１７７等に記録することが可能となる。また、画像ファイル２０をネットワーク１４を介してサーバ９０に対して送信するのみで、容易に患者ＩＤ２８と画像とを関連付けた状態で送信することが可能となる。
【０１５６】
なお、記録する画像は前述のように撮像手段１５０が撮像して取得した画像であってもよいし、記録媒体１７７を介して他の電子機器から取得した画像であってもよいし、無線又は有線の通信手段を介して送受信手段１５７が取得した画像であってもよい。
【０１５７】
図１０に示すように、画像と患者の識別情報とを関連付けて記録することによって、医師等の依頼によってサーバ９０が過去に撮像した画像を検索する場合に検索処理が容易となるとともに、画像と患者とを常に関連付けて記録又は伝達することが可能となる。
【０１５８】
次のＳ２１６「カレンダＩＣから日時を取得して画像データに添付」では、情報処理手段１８０はカレンダ時計１９０と情報の送受信を行って、撮像した時の日時情報を取得する。そして、例えば図１０に示すように画像ファイル２０のヘッダ部２２に撮影日時情報２６として画像と関連付けて記載する処理を行う。
【０１５９】
次のＳ２１８「画像データカード記録」のサブルーチンでは、情報処理手段１８０は作成した画像ファイル２０を記録媒体１７７又はＩＤカード６０等の記録手段に出力して記録する処理を行う。また、画像ファイル２０を記録媒体１７７等に記録する代わりに、送受信手段１５７からネットワーク１４を介してサーバ９０等の通信機器に送信して出力するようにしてもよい。
【０１６０】
画像ファイル２０の出力が終了すると、情報処理手段１８０の処理はＳ２２０に進み、撮像処理の処理ルーチンを終了して元の処理ルーチンに戻る。
【０１６１】
図１１に、電子カメラ１０が作成した画像ファイル２０を出力する処理のフローチャートを示す。
【０１６２】
同図に示すように、電子カメラ１０の情報処理手段１８０が画像ファイル２０の作成を、例えば前述のＳ２１６等で終了すると、情報処理手段１８０の処理プログラムはＳ３００「画像データカード記録」のサブルーチンにジャンプしてきて、次のＳ３０２「記録フォルダ名＝”ＩＤ”＋画像データの患者ＩＤ」の処理に進む。
【０１６３】
Ｓ３０２では、画像ファイル２０を患者毎に分けて整理した状態で記録するために、例えば記録媒体１７７に患者毎のフォルダ名（又はディレクトリ名）を作成する処理を行う。そして、次のＳ３０４「記録フォルダは既に存在？」の判断に進む。
【０１６４】
Ｓ３０４では、情報処理手段１８０がＳ３０２で患者ＩＤ等の情報から作成したフォルダ名を有するフォルダが、作成した画像ファイル２０の出力先、例えば記録媒体１７７又はサーバ９０の記録手段９８６に存在するか否かの判断を行っている。もし作成したフォルダ名を有するフォルダが、未だ記録媒体１７７等の記録手段に設けられていない場合には、Ｓ３０６「記録フォルダを作成（記録フォルダ名＝”ＩＤ”＋画像データの患者ＩＤ」の処理に分岐する。
【０１６５】
Ｓ３０６では、例えば画像ファイル２０の出力先である記録媒体１７７又はサーバ９０の記録手段９８６等に、患者毎のフォルダ名（又はディレクトリ名）を作成する処理を行う。そして、次のＳ３０８「記録画像番号＝０００１」の処理に進む。
【０１６６】
Ｓ３０６では新たに画像を記録する患者固有のフォルダを作成したので、Ｓ３０８では自動で画像ファイル２０の名称を定めるために最初の記録画像であることを示す「０００１」のファイル名を、記録する画像ファイル２０に付す処理を行う。そして処理はＳ３１４に進む。
【０１６７】
またＳ３０４にて、もし作成したフォルダ名を有するフォルダが既に記録媒体１７７等の記録手段に設けられている場合には、Ｓ３１０「記録フォルダ中の最大画像番号取得（Ｎｍａｘ）」の処理に進む。
【０１６８】
Ｓ３１０では、例えば画像ファイル２０の出力先である記録媒体１７７又はサーバ９０の記録手段９８６等に既に記録されている画像ファイル名を参照して、最大の記録番号を探して取得する処理を行う。そして、次のＳ３１２「記録画像番号＝Ｎｍａｘ＋１」の処理に進む。
【０１６９】
Ｓ３１２では、自動で画像ファイル２０の名称を定めるために、所定のフォルダに現在記録されている画像ファイルの最大画像番号「Ｎｍａｘ」に対して１を加える処理を行う。そして処理はＳ３１４「記録ファイル名＝”ＤＳＣＦ”＋記録画像番号」の処理に進む。
【０１７０】
Ｓ３１４では、記録媒体１７７等の所定のフォルダに記録する画像ファイルが、電子カメラ１０で撮像した画像ファイルであることを識別可能なファイル名とする処理を行う。例えば前記作成した画像ファイルの最大画像番号が「０００１」である場合には、電子カメラ１０で撮像した画像ファイルであることを示す「ＤＳＣＦ」を最大画像番号「Ｎｍａｘ」の前に付して、更に画像が所定の画像記録フォーマットで記録されていることを示す拡張子「ＪＰＧ」を後に付す処理を行う。
【０１７１】
次のＳ３１６「￥ＩＭＡＧＥ￥記録画像フォルダに記録画像ファイル名で画像データを記録」では、作成した画像ファイル２０を、作成した画像ファイル名で所定の記録フォルダ（￥ＩＭＡＧＥ￥ＩＤ０００００１等）に記録する処理を行う。
【０１７２】
図１２に、記録画像フォルダと記録する画像ファイル群の関係を示す。
【０１７３】
同図に示すツリー図には、記録媒体１７７等のルートディレクトリには画像ファイルを記録していることを示す「￥ＩＭＡＧＥ」フォルダと、その下の階層には患者ＩＤ２８毎に設けられたフォルダ「ＩＤ０００００１」、「ＩＤ０００００２」…が設けられている。各患者ＩＤ毎のフォルダには、診察時に撮像した各画像ファイル「ＤＳＣＦ０００１．ＪＰＧ」、「ＤＳＣＦ０００２．ＪＰＧ」…が患者毎に分類されて記録されている。
【０１７４】
なお、画像ファイルの記録形式は「ＪＰＥＧ」方式に限定されるものではなく、非圧縮の画像であってもよいし、多解像度（１２ビット）等の記録画像であってもよい。
【０１７５】
Ｓ３１６で画像ファイルの記録が終了すると、処理プログラムは次のＳ３１８「画像データカード記録完了」に進み、元の処理ルーチンに戻る。
【０１７６】
なお上記の説明では、本発明に係る電子機器を医療現場での患部の撮像等に利用した例で説明したが、本発明はこれに限定されるものではない。例えば工事現場にて、工事の進捗状況を撮像する撮像者が、撮像する条件に応じた情報が記録されているＩＤカード６０を携行して、電子カメラ１０にて現場の撮像を実施した際に、ＩＤカード６０に記録されている工事の進捗状況とともに撮像した画像を同一の画像ファイルに記載して記録する用途に利用してもよい。
【０１７７】
【発明の効果】
以上説明したように本発明に係る撮像システムによれば、後工程にて前記出力された画像ファイルの管理を容易にすることが可能となる。
【図面の簡単な説明】
【図１】診察室等の医療現場における撮像システムの構成を示す図
【図２】病院等の医療現場における撮像システムの構成を示す図
【図３】電子カメラの信号処理系ブロック図
【図４】ＩＤカードの信号処理系ブロック図
【図５】パソコンの信号処理系ブロック図
【図６】サーバの信号処理系ブロック図
【図７】サーバの記録手段に記録されている患者情報の記載例を示す図
【図８】電子カメラにおける撮像可否の判断処理のフローチャート
【図９】電子カメラにて撮像を指示した際の撮像処理に関するフローチャート
【図１０】患者の識別情報と画像とが記載されている画像ファイルの構造例を示す図
【図１１】電子カメラが画像ファイルを出力する処理のフローチャート
【図１２】記録画像フォルダと記録する画像ファイル群の関係を示す図
【符号の説明】
８…患者、９…患部、１０…電子カメラ、１２…ゲートウェイ、１４…ネットワーク、１６…シールド壁、２０…画像ファイル、２２…ヘッダ部、２４…主画像部、２６…撮影日時情報、２８…患者ＩＤ、３０…カメラＩＤ、３２…サムネイル画像、６０…ＩＤカード、７０…プリンタ、８０…パソコン、９０…サーバ、１５０…撮像手段、１５３…画像処理手段、１５４…Ａ／Ｄ変換器、１５６…アンテナ、１５７…送受信手段、１６２…通信コネクタ、１６３…クレードルコネクタ、１６７…圧縮伸張手段、１６８…表示手段、１６９…ＯＳＤ、１７０…信号処理手段、１７１…フレームメモリ、１７２…Ｄ／Ａ変換器、１７４…入力手段、１７５…Ｉ／Ｏ、１７７…記録媒体、１７８…記録媒体装着部、１７９…記録媒体インターフェース、１８０…情報処理手段、１８２…不揮発性メモリ、１８３…ＲＯＭ、１８４…ＲＡＭ、１９０…カレンダ時計、１９１…電源、１９２…電源コネクタ、１９３…発光手段、１９４…発光制御手段、１９９…バス、６５６…アンテナ、６５７…送受信手段、６５９…通信コネクタ、６６８…表示手段、６６９…表示制御手段、６８０…情報処理手段、６８２…不揮発性メモリ、６８３…ＲＯＭ、６８４…ＲＡＭ、６９０…カレンダ時計、６９１…電源、６９２…電源コネクタ、６９９…バス、８５６…アンテナ、８５７…送受信手段、８５９…通信コネクタ、８６０…公衆回線、８６５…送受信手段、８６８…表示手段、８６９…表示制御手段、８７４…入力手段、８７５…Ｉ／Ｏ、８７７…記録媒体、８７８…記録媒体装着部、８７９…記録媒体インターフェース、８８０…情報処理手段、８８１…メモリ、８８６…記録手段、８９０…カレンダ時計、８９９…バス、９５６…アンテナ、９５７…送受信手段、９６０…公衆回線、９６５…送受信手段、９６８…表示手段、９６９…表示制御手段、９７４…入力手段、９７５…Ｉ／Ｏ、９８０…情報処理手段、９８１…メモリ、９８６…記録手段、９９０…カレンダ時計、９９９…バス
【図１】
0004003034.tif 000002
【図２】
0004003034.tif 000003
【図３】
0004003034.tif 000004
【図４】
0004003034.tif 000005
【図５】
0004003034.tif 000006
【図６】
0004003034.tif 000007
【図７】
0004003034.tif 000008
【図８】
0004003034.tif 000009
【図９】
0004003034.tif 000010
【図１０】
0004003034.tif 000011
【図１１】
0004003034.tif 000012
【図１２】
0004003034.tif 000013